(57)【要約】【課題】  同一または類似する名称を誤って登録することを防止することができる携帯通信端末装置および携帯通信端末装置における電話帳登録方法を提供する。【解決手段】  登録名称記憶部１０４は、電話帳情報として登録済みの名称である登録名称を記憶し、新名称一時記憶部１０２は、新規に電話帳情報として登録される名称である新規登録名称を記憶する。登録名称判定部１０３は、全ての登録名称と新規登録名称とを比較して同一または一文字違いであるか否かを判定し、同一または一文字違いである場合に、重複フラグ”Ｘ＄”に１を設定する。重複フラグ判定部２０５は、重複フラグ”Ｘ＄”が１である場合に、同一または一文字違いの名称が既に登録されていることを示すとともに新規登録名称を登録するか否かを利用者に選択させる警告文を、ＬＣＤ制御部１０６を介してＬＣＤ１０７に出力する。【選択図】  図１
2006217527.tif 000002
【特許請求の範囲】
【請求項１】
電話番号および名称を含む電話帳情報を登録して記憶する電話帳機能を有する携帯通信端末装置であって、
電話帳情報として登録済みの名称である登録名称と新規に電話帳情報として登録される名称である新規登録名称とを比較して同一または一文字違いであるか否かを判定する登録名称判定手段を備えた
ことを特徴とする携帯通信端末装置。
【請求項２】
登録名称記憶手段は、登録名称を記憶し、
新規名称登録手段は、登録名称判定手段が判定した結果である重複判定結果に基づいて新規登録名称を登録名称として前記登録名称記憶手段に記憶する
請求項１記載の携帯通信端末装置。
【請求項３】
新規名称登録手段は、重複判定結果が同一または一文字違いである場合に、同一または一文字違いの名称が既に登録されていることを示すとともに新規登録名称を登録するか否かを利用者に選択させる警告情報を生成し、
表示手段は、前記警告情報を表示する
請求項２記載の携帯通信端末装置。
【請求項４】
新規名称登録手段は、利用者が新規登録名称を登録することを選択した場合に、新規登録名称を登録名称として登録名称記憶手段に記憶し、利用者が新規登録名称を登録しないことを選択した場合に、名称を変更して再登録を行うか否かを利用者に選択させる再登録選択情報を生成し、
表示手段は、前記再登録選択情報を表示する
請求項３記載の携帯通信端末装置。
【請求項５】
登録名称判定手段は、新規登録名称と同一または一文字違いである登録名称の個数を計測し、
新規名称登録手段は、重複判定結果が同一または一文字違いである場合に、前記個数に１を加算した数値を新規登録名称の末尾に付与して新規登録名称として登録する
請求項２記載の携帯通信端末装置。
【請求項６】
電話番号および名称を含む電話帳情報を登録して記憶する電話帳機能を有する携帯通信端末装置における電話帳登録方法であって、
電話帳情報として登録済みの名称である登録名称と新規に電話帳情報として登録される名称である新規登録名称とを比較して同一または一文字違いであるか否かを判定する
ことを特徴とする携帯通信端末装置における電話帳登録方法。
【発明の詳細な説明】
【技術分野】
【０００１】
本発明は、電話帳機能を備えた携帯通信端末装置および携帯通信端末装置における電話帳登録方法に関する。
【背景技術】
【０００２】
従来より、電話帳機能付き携帯通信端末装置が普及している。例えば、携帯電話機の電話帳機能には、電話番号や名称を登録する機能、電話帳から名称を選択して対応する電話番号に発信する機能、発信元として電話番号に対応する名称を表示する機能などがある。以下、電話帳に登録された名称を登録名称と表記する。
【０００３】
電話帳機能を利用することにより、ユーザは、発信先や発信元の電話番号を意識することなく、登録名称を参照して操作を行うことが可能である。そのため、登録名称として同じ名称のものを複数登録した場合には、読み間違いや記憶違いなどを起こしやすくなり、意図しない相手に発信する可能性が高くなる。
【０００４】
そのため、電話帳への登録作業を軽減し、同一名称や同一電話番号での誤登録を防ぐことができるコードレス電話システムの携帯端末が提案されている（例えば、特許文献１参照）。
【０００５】
【特許文献１】特開平１０−２４３０７９号公報（段落００３０−００３３）
【発明の開示】
【発明が解決しようとする課題】
【０００６】
しかし、特許文献１に記載された方式では、登録しようとする名称と既に登録されている名称とが一致する場合にのみ警告メッセージを表示するため、一文字でも違っている場合には警告メッセージが表示されない。したがって、類似する名称が登録されることもある。すると、誤った相手に発進してしまう可能性が残る。
【０００７】
そこで、本発明は、類似する名称が誤って登録されることを防止することができる携帯通信端末装置および携帯通信端末装置における電話帳登録方法を提供することを目的とする。
【課題を解決するための手段】
【０００８】
本発明による携帯通信端末装置は、電話番号および名称を含む電話帳情報を登録して記憶する電話帳機能を有する携帯通信端末装置であって、電話帳情報として登録済みの名称である登録名称と新規に電話帳情報として登録される名称である新規登録名称とを比較して同一または一文字違いであるか否かを判定する登録名称判定手段を備えたことを特徴とする。
【０００９】
登録名称記憶手段は、登録名称を記憶し、新規名称登録手段は、登録名称判定手段が判定した結果である重複判定結果に基づいて新規登録名称を登録名称として登録名称記憶手段に記憶してもよい。そのような構成によれば、類似しない名称のみを登録することができる。また、類似する名称が誤って登録されることを防止することができる。
【００１０】
新規名称登録手段は、重複判定結果が同一または一文字違いである場合に、同一または一文字違いの名称が既に登録されていることを示すとともに新規登録名称を登録するか否かを利用者に選択させる警告情報を生成し、表示手段は、警告情報を表示してもよい。そのような構成によれば、同一または一文字違いの類似する名称を登録した場合に、警告文が表示されるため、誤って登録することを防止することができる。
【００１１】
新規名称登録手段は、利用者が新規登録名称を登録することを選択した場合に、新規登録名称を登録名称として登録名称記憶手段に記憶し、利用者が新規登録名称を登録しないことを選択した場合に、名称を変更して再登録を行うか否かを利用者に選択させる再登録選択情報を生成し、表示手段は、再登録選択情報を表示してもよい。そのような構成によれば、利用者は、同一または一文字違いの類似する名称であることを認識した上で、異なる名称を登録しなおすことができる。
【００１２】
登録名称判定手段は、新規登録名称と同一または一文字違いである登録名称の個数を計測し、新規名称登録手段は、重複判定結果が同一または一文字違いである場合に、個数に１を加算した数値を新規登録名称の末尾に付与して新規登録名称として登録してもよい。そのような構成によれば、入力した新規名称に対して自動的に番号が付与されて登録されるため、誤って同一または一文字違いの類似する名称を登録することを防止することができる。
【００１３】
本発明による携帯通信端末装置における電話帳登録方法は、電話番号および名称を含む電話帳情報を登録して記憶する電話帳機能を有する携帯通信端末装置における電話帳登録方法であって、電話帳情報として登録済みの名称である登録名称と新規に電話帳情報として登録される名称である新規登録名称とを比較して同一または一文字違いであるか否かを判定することを特徴とする。
【発明の効果】
【００１４】
本発明によれば、同一または一文字違いの類似する名称を登録した場合に、警告文が表示されるため、誤って登録することを防止することができるという効果がある。また、利用者は、同一または一文字違いの類似する名称であることを認識した上で、異なる名称を登録しなおすことができる。さらに、入力した新規名称に対して自動的に番号が付与されて登録されるため、誤って同一または一文字違いの類似する名称を登録することを防止する効果がある。
【発明を実施するための最良の形態】
【００１５】
実施の形態１．
以下、本発明の第１の実施の形態を図面を参照して説明する。図１は、本発明の第１の実施の形態における携帯電話機の構成例を示すブロック図である。図１に示す携帯電話機は、キーボード１０１と、新名称一時記憶部１０２と、登録名称判定部１０３と、登録名称記憶部１０４と、重複フラグ判定部１０５と、ＬＣＤ（Ｌｉｑｕｉｄ  Ｃｒｙｓｔａｌ  Ｄｉｓｐｌａｙ）制御部１０６と、ＬＣＤ１０７とを備える。
【００１６】
キーボード１０１は、情報を入力するための複数のキーを有する。ユーザは、電話帳に新規にデータを登録する際に、キーボード１０１を使用して電話番号や名称を入力する。なお、電話帳に新規にデータを登録する際に入力した名称を、新規登録名称と表記する。
【００１７】
新名称一時記憶部１０２は、キーボード１０１から出力された新規登録名称”Ｎａｍｅ＿ｎ＄”と、登録名称判定部１０３が設定する重複フラグ”Ｘ＄”とを一時的に記憶する。新名称一時記憶部１０２は、例えばＲＡＭ（Ｒａｎｄｏｍ  Ａｃｃｅｓｓ  Ｍｅｍｏｒｙ）によって実現される。
【００１８】
登録名称判定部１０３は、新名称一時記憶部１０２に一時的に記憶された新規登録名称”Ｎａｍｅ＿ｎ＄”と、既に電話帳に登録されている登録名称”Ｎａｍｅ＿ｍ＄”とを比較して、同一または一文字違いであるか否かを判定する処理を実行する。さらに、登録名称判定部１０３は、判定した結果が同一または一文字違いであった場合は、新名称一時記憶部１０２の重複フラグ”Ｘ＄”に１を設定する。
【００１９】
登録名称記憶部１０４は、電話帳に登録されている登録名称”Ｎａｍｅ＿ｍ＄”を記憶する。登録名称記憶部１０４は、例えば不揮発性メモリによって実現される。
【００２０】
重複フラグ判定部１０５は、新名称一時記憶部１０２に記憶される重複フラグ”Ｘ＄”を参照して、”Ｘ＄”が０の場合は、新規登録名称”Ｎａｍｅ＿ｎ＄”を登録名称記憶部１０４に記憶させる処理を実行する。一方、”Ｘ＄”が１の場合は、新規登録名称”Ｎａｍｅ＿ｎ＄”が登録名称”Ｎａｍｅ＿ｍ＄”と同一または一文字違いである旨の警告文データを生成し、ＬＣＤ制御部１０６に出力する。
【００２１】
ＬＣＤ制御部１０６は、画面表示に関する各種の処理を実行する機能を有する。ＬＣＤ制御部１０６は、例えば、重複フラグ判定部１０５から出力された警告文データを、ＬＣＤ１０７に出力する処理を実行する。ＬＣＤ１０７は、液晶ディスプレイ装置であり、各種のデータを表示する。
【００２２】
第１の実施の形態において、登録名称判定手段は、登録名称判定部１０３によって実現される。登録名称記憶手段は、登録名称記憶部１０４によって実現される。新規名称登録手段は、重複フラグ判定部１０５によって実現される。表示手段は、ＬＣＤ制御部１０６およびＬＣＤ２０７によって実現される。
【００２３】
図２は、本発明の第１の実施の形態における携帯電話機における電話帳登録方法の概略を示す説明図である。図２に示す例では、電話帳に新規に名称を登録する際に、類似する名称が登録されていない場合には（図１（Ａ）参照）、そのまま登録する。一方、既に類似する名称が登録されている場合には（図１（Ｂ）参照）、既に類似する名称が登録されている旨の警告メッセージが表示される。
【００２４】
次に、図３を参照して本発明の第１の実施の形態の動作について説明する。図３は、本発明の第１の実施の形態における携帯電話機の電話帳登録処理を示すフローチャートである。
【００２５】
ユーザによって電話帳登録アプリケーションが起動され、キーボード１０１を使用して電話番号や名称が入力されると（ステップＳ３０１）、新名称一時記憶部１０２は、キーボード１０１から出力された新規登録名称”Ｎａｍｅ＿ｎ＄”を記憶する。また、新名称一時記憶部１０２は、重複フラグ”Ｘ＄”の初期値として０を記憶する（ステップＳ３０２）。
【００２６】
登録名称判定部１０３は、登録名称記憶部１０４に記憶されている登録名称を１件読み出し、”Ｎａｍｅ＿ｍ＄”として作業用メモリ（図示せず。）に記憶する（ステップＳ３０３）。
【００２７】
次に、登録名称判定部１０３は、新名称一時記憶部１０２に記憶された新規登録名称”Ｎａｍｅ＿ｎ＄”と、ステップＳ３０３において読み出した登録名称”Ｎａｍｅ＿ｍ＄”とを比較して、同一または一文字違いであるか否かを判定する（ステップＳ３０４）。
【００２８】
ステップＳ３０４において、同一または一文字違いであると判定した場合（Ｙｅｓ）、登録名称判定部１０３は、新名称一時記憶部１０２の重複フラグ”Ｘ＄”に１を設定し（ステップＳ３０５）、ステップＳ３０６に移行する。一方、二文字以上違うと判定した場合（Ｎｏ）は、ステップＳ３０６に移行する。
【００２９】
次に、登録名称判定部１０３は、登録名称記憶部１０４に記憶されている全ての登録名称と、新規登録名称”Ｎａｍｅ＿ｎ＄”との比較が終了したか否かを判定する（ステップＳ３０６）。終了したと判定した場合（Ｙｅｓ）は、ステップＳ３０７に移行する。終了していないと判定した場合（Ｎｏ）は、ステップＳ３０３に移行し、次の登録名称を１件読み出して処理を継続する。
【００３０】
ステップＳ３０７において、重複フラグ判定部１０５は、新名称一時記憶部１０２に記憶される重複フラグ”Ｘ＄”を参照し、”Ｘ＄”が１であるか０であるかを判定する。”Ｘ＄”が１であると判定した場合（Ｙｅｓ）は、ステップＳ３０８に移行する。”Ｘ＄”が０であると判定した場合（Ｎｏ）は、ステップＳ３１０に移行する。
【００３１】
重複フラグ判定部１０５は、新規登録名称”Ｎａｍｅ＿ｎ＄”が既に電話帳に登録されている登録名称と同一または一文字違いである旨を警告するとともに新規登録名称”Ｎａｍｅ＿ｎ＄”を電話帳に登録するか否かをユーザに選択させる警告画面データを生成し、ＬＣＤ制御部１０６を介してＬＣＤ１０７に出力する。ＬＣＤ１０７は、警告画面データを警告画面として表示する（ステップＳ３０８）。警告画面は、例えば、図１（Ｂ）に示す画面である。
【００３２】
ステップＳ３０８において、ユーザが「登録する」を選択した場合（Ｙｅｓ）、重複フラグ判定部１０５は、新規登録名称”Ｎａｍｅ＿ｎ＄”を登録名称記憶部１０４に記憶させることにより、電話帳に新規登録名称を登録して処理を終了する（ステップＳ３１０）。
【００３３】
一方、ステップＳ３０８において、ユーザが「登録しない」を選択した場合（Ｎｏ）、重複フラグ判定部１０５は、名称を変更して再登録するか否かの選択をユーザに促す再登録選択画面データを生成し、ＬＣＤ制御部１０６を介してＬＣＤ１０７に出力する。ＬＣＤ１０７は、再登録選択画面データを再登録選択画面として表示する（ステップＳ３０９）。
【００３４】
ステップＳ３０９において、ユーザが「再登録する」を選択した場合（Ｙｅｓ）、重複フラグ判定部１０５は、名称の再入力をユーザに促す画面をＬＣＤ制御部１０６を介してＬＣＤ１０７に出力し、ステップＳ３０２に移行して処理を継続する。ユーザが「再登録しない」を選択した場合（Ｎｏ）、何も登録せずに登録処理を終了する（ステップＳ３１１）。
【００３５】
以上に説明したように、第１の実施の形態によれば、携帯電話機の電話帳機能を利用して同一または一文字違いの類似する名称を登録した場合に、警告文が表示されるため、誤って登録することを防止することができる。
【００３６】
実施の形態２．
次に本発明の第２の実施の形態を図面を参照して説明する。第２の実施の形態では、新名称一時記憶部１０２が、重複フラグ”Ｘ＄”を記憶するとともに、重複回数フラグ”ｉ”を記憶する。重複回数フラグ”ｉ”は、重複フラグ”Ｘ＄”に１をセットした回数、すなわち、新名称一時記憶部１０２に記憶された新規登録名称”Ｎａｍｅ＿ｎ＄”と、同一または一文字違いと判定された登録名称の個数を記憶する。なお、本発明の第２の実施の形態による携帯電話機のその他の構成は、第１の実施の形態と同様の構成（図１参照）であるため、重複する説明を省略する。
【００３７】
次に、図４を参照して本発明の第２の実施の形態の動作について説明する。図４は、本発明の第２の実施の形態における携帯電話機の電話帳登録処理を示すフローチャートである。
【００３８】
ユーザによって電話帳登録アプリケーションが起動され、キーボード１０１を使用して電話番号や名称が入力されると（ステップＳ４０１）、新名称一時記憶部１０２は、キーボード１０１から出力された新規登録名称”Ｎａｍｅ＿ｎ＄”を記憶する。また、新名称一時記憶部１０２は、重複フラグ”Ｘ＄”の初期値として０を記憶するとともに、重複回数フラグ”ｉ”の初期値として０を記憶する（ステップＳ４０２）。
【００３９】
登録名称判定部１０３は、登録名称記憶部１０４に記憶されている登録名称を１件読み出し、”Ｎａｍｅ＿ｍ＄”として作業用メモリ（図示せず。）に記憶する（ステップＳ４０３）。
【００４０】
次に、登録名称判定部１０３は、新名称一時記憶部１０２に記憶された新規登録名称”Ｎａｍｅ＿ｎ＄”と、ステップＳ４０３において読み出した登録名称”Ｎａｍｅ＿ｍ＄”とを比較して、同一または一文字違いであるか否かを判定する（ステップＳ４０４）。
【００４１】
ステップＳ４０４において、同一または一文字違いであると判定した場合（Ｙｅｓ）、登録名称判定部１０３は、新名称一時記憶部１０２の重複フラグ”Ｘ＄”に１を設定し（ステップＳ４０５）、ステップＳ４０６に移行する。ステップＳ４０６において、登録名称判定部１０３は、新名称一時記憶部１０２の重複回数フラグ”ｉ”に１を加算する。一方、二文字以上違うと判定した場合（Ｎｏ）は、ステップＳ４０７に移行する。
【００４２】
ステップＳ４０７において、登録名称判定部１０３は、登録名称記憶部１０４に記憶されている全ての登録名称と、新規登録名称”Ｎａｍｅ＿ｎ＄”との比較が終了したか否かを判定する（ステップＳ４０７）。終了したと判定した場合（Ｙｅｓ）は、ステップＳ４０８に移行する。終了していないと判定した場合（Ｎｏ）は、ステップＳ４０３に移行し、次の登録名称を１件読み出して処理を継続する。
【００４３】
ステップＳ４０８において、重複フラグ判定部１０５は、新名称一時記憶部１０２に記憶される重複フラグ”Ｘ＄”を参照し、”Ｘ＄”が１であるか０であるかを判定する。
【００４４】
”Ｘ＄”が１であると判定した場合（Ｙｅｓ）は、ステップＳ４０９に移行する。重複フラグ判定部１０５は、”ｉ”に１を加算して、結果を”ｊ”に格納する。”ｊ”は、作業用メモリに記憶される作業用の変数であり、同一または一文字違いの類似する名称として何個目に登録される名称であるかを示す数である。”Ｎａｍｅ＿ｎ＄”の末尾に、”ｊ”を付加した新規登録名称”Ｎａｍｅ＿ｎ＄ｊ”を登録名称記憶部１０４に記憶させることにより、電話帳に新規登録名称を登録して処理を終了する。
【００４５】
一方、”Ｘ＄”が０であると判定した場合（Ｎｏ）は、重複フラグ判定部１０５は、新規登録名称”Ｎａｍｅ＿ｎ＄”を登録名称記憶部１０４に記憶させることにより、電話帳に新規登録名称を登録して処理を終了する（ステップＳ４１０）。
【００４６】
以上に説明したように、第２の実施の形態によれば、同一または一文字違いの類似する名称を登録する場合に、入力した新規名称に対して自動的に番号が付与されて登録されるため、誤って同一または一文字違いの類似する名称を登録することを防止することができる。
【００４７】
なお、上記の第１の実施の形態および第２の実施の形態では、携帯通信端末装置として携帯電話機を例示しているが、ＰＨＳ（Ｐｅｒｓｏｎａｌ  Ｈａｎｄｙ−ｐｈｏｎｅ  Ｓｙｓｔｅｍ）などの携帯通信端末装置でもよく、携帯電話機に限定されない。
【産業上の利用可能性】
【００４８】
本発明は、電話帳機能を有する携帯電話機や携帯通信端末装置に効果的に適用できる。
【図面の簡単な説明】
【００４９】
【図１】本発明の第１の実施の形態における携帯電話機の構成例を示すブロック図である。
【図２】本発明の第１の実施の形態における携帯電話機における電話帳登録方法の概略を示す説明図である。
【図３】本発明の第１の実施の形態における携帯電話機の電話帳登録処理を示すフローチャートである。
【図４】本発明の第２の実施の形態における携帯電話機の電話帳登録処理を示すフローチャートである。
【符号の説明】
【００５０】
１０１  キーボード
１０２  新名称一時記憶部
１０３  登録名称判定部
１０４  登録名称記憶部
１０５  重複フラグ判定部
１０６  ＬＣＤ制御部
１０７  ＬＣＤ
【図１】
2006217527.tif 000003
【図２】
2006217527.tif 000004
【図３】
2006217527.tif 000005
【図４】
2006217527.tif 000006